(57)【特許請求の範囲】
【請求項１】
給湯源から供給される湯を吐出する吐出部と、
前記給湯源と前記吐出部とを連通する流路と、
前記湯の供給圧力を受けるとともに前記流路を開閉する流路開閉部と
を備える給湯システムであって、
前記流路において前記流路開閉部よりも上流側に設けられるとともに前記流路中の湯水を排出する排水装置をさらに備え、
前記排水装置は、
一端が前記流路に接続され他端が排水口に接続される排水路と、
前記排水路を開閉する主弁体と、
使用者の操作によって前記主弁体を前記排水路を開放する方向へ移動させて前記流路中の湯水を排出させる操作部と、
前記排水路が開放されてから所定時間経過した後に前記排水路を閉止させる排水路閉止機構と
を備え、
前記排水路閉止機構は、
ケーシングと、
前記ケーシングの一端側に設けられ、前記主弁体と連動して前記ケーシング内を摺動する摺動部と、
前記ケーシングの他端側の前記摺動部と対向する位置に設けられる蓋部と、
前記ケーシング、前記摺動部および前記蓋部によって形成される背圧室と、
前記背圧室と前記流路とを連通する連通孔と
を備え、
前記背圧室は、
前記流路から前記連通孔を介して前記背圧室へ流入された湯水の水圧により前記摺動部を摺動させ、前記主弁体を前記排水路を閉止する方向へ移動させること
を特徴とする給湯システム。
【請求項２】
前記排水路閉止機構は、
前記排水路内の水温が所定温度以上となった場合に前記排水路を閉止させること
を特徴とする請求項１に記載の給湯システム。
【請求項３】
給湯源から供給される湯を吐出する吐出部と、
前記給湯源と前記吐出部とを連通する流路と、
前記湯の供給圧力を受けるとともに前記流路を開閉する流路開閉部と
を備える給湯システムであって、
前記流路において前記流路開閉部よりも上流側に設けられるとともに前記流路中の湯水を排出する排水装置をさらに備え、
前記排水装置は、
一端が前記流路に接続され他端が排水口に接続される排水路と、
前記排水路を開閉する主弁体と、
使用者の操作によって前記主弁体を前記排水路を開放する方向へ移動させて前記流路中の湯水を排出させる操作部と、
前記排水路が開放されてから所定時間経過した後に前記排水路を閉止させる排水路閉止機構と
を備え、
前記排水路閉止機構は、
前記排水路内の水温が所定温度以上となった場合に前記主弁体の前記排水路を閉止する方向への速度を増加させる速度増加部
を備えることを特徴とする給湯システム。
【請求項４】
前記排水路閉止機構は、
ケーシングと、
前記ケーシングの一端側に設けられ、前記主弁体と連動して前記ケーシング内を摺動する摺動部と、
前記ケーシングの他端側の前記摺動部と対向する位置に設けられる蓋部と、
前記ケーシング、前記摺動部および前記蓋部によって形成される背圧室と
を備え、
前記速度増加部は、
前記背圧室と前記流路とを連通する補助連通孔と、
前記補助連通孔を閉塞する閉塞部と、
一端が前記閉塞部に当接されるとともに、前記閉塞部への付勢力が温度に応じて変化する感温付勢部と
を備え、
前記感温付勢部は、
前記排水路内の水温が前記所定温度以上の場合に前記閉塞部を前記補助連通孔から離間させる方向へ付勢して前記補助連通孔を開放し、前記背圧室へ流入する湯水の量を増加させ、
前記背圧室は、
増加した湯水の水圧により前記摺動部を摺動させることで、前記主弁体の前記排水路を閉止する方向への速度を増加させること
を特徴とする請求項３に記載の給湯システム。
【請求項５】
給湯源と前記給湯源から供給される湯を吐出する吐出部とを連通する流路に設けられ、前記流路中の湯水を排出する排水装置であって、
一端が前記流路に接続され他端が排水口に接続される排水路と、
前記排水路を開閉する主弁体と、
使用者の操作によって前記主弁体を前記排水路を開放する方向へ移動させて前記流路中の湯水を排出させる操作部と、
前記排水路が開放されてから所定時間経過した後に前記排水路を閉止させる排水路閉止機構と
を備え、
前記排水路閉止機構は、
前記排水路内の水温が所定温度以上となった場合に前記主弁体の前記排水路を閉止する方向への速度を増加させる速度増加部
を備えることを特徴とする排水装置。
【発明の詳細な説明】
【技術分野】
【０００１】
本発明は、給湯システムに関する。
【背景技術】
【０００２】
従来、給湯器により生成される湯を住宅内の各水栓装置の吐水口へ供給する給湯システムが知られている。このような給湯システムでは、給湯器が地階（たとえば、一階）に設置されることが多いため、上階（たとえば、二階）の水栓装置の吐水口へ湯を供給しようとすると、給湯器から水栓装置の吐水口までの配管長さが長くなってしまう。
【０００３】
このように、給湯器から水栓装置の吐水口までの配管長が長いと、たとえば朝、使用者が水栓装置の吐水口から湯を出そうとしても、配管内に残留する冷めた湯（すなわち、水）が吐出され、湯が出るまでに時間がかかってしまうという問題があった。
【０００４】
そこで、近年、水栓装置の近傍に小型の給湯器（電気温水器）を設け、給湯器から吐水口までの配管長を短くすることで、配管内に残留する湯水の量を減らして、朝でも短時間で湯を供給することが可能な給湯システムが提案されている（特許文献１参照）。
【先行技術文献】
【特許文献】
【０００５】
【特許文献１】特開２０１４−１７８０７４号公報
【発明の概要】
【発明が解決しようとする課題】
【０００６】
しかしながら、特許文献１に記載の給湯システムは、電気温水器を別途必要とするため、構成が複雑化するおそれがある。このように、特許文献１に記載の給湯システムには、湯が吐出されるまでの待ち時間を短くすることを比較的簡易な構成で達成するという点で更なる改善の余地がある。
【０００７】
本発明は、湯が吐出されるまでの待ち時間を短くすることを比較的簡易な構成で達成することができる給湯システムを提供することを目的とする。
【課題を解決するための手段】
【０００８】
本発明は、給湯源から供給される湯を吐出する吐出部と、前記給湯源と前記吐出部とを連通する流路と、前記湯の供給圧力を受けるとともに前記流路を開閉する流路開閉部とを備える給湯システムであって、前記流路において前記流路開閉部よりも上流側に設けられるとともに前記流路中の湯水を排出する排水装置をさらに備え、前記排水装置は、一端が前記流路に接続され他端が排水口に接続される排水路と、前記排水路を開閉する主弁体と、使用者の操作によって前記主弁体を前記排水路を開放する方向へ移動させて前記流路中の湯水を排出させる操作部とを備えることを特徴とする。
【０００９】
このように、排水装置は、流路において流路開閉部よりも上流側に設けられることから、たとえば上流側の流路内に残留する冷めた湯水を容易に排出することができる。これにより、湯が吐出されるまでの待ち時間を短くすることを、電気温水器を別途設置することなく簡易な構成で達成することができる。
【００１０】
また、従来技術と比較して、水栓装置の近傍に電気温水器を設置するためのスペースを確保する必要がなくなるため、設置容易性を向上させることができる。また、電気温水器によって湯の供給能力が制限されることがないため、大流量の湯を吐出部から吐出することが可能となる。また、使用者は、必要に応じて操作部を操作するという簡便な動作で、流路中の湯水を容易に排出することができる。
【００１１】
また、前記排水装置は、開放された前記排水路を閉止させる排水路閉止機構を備えることを特徴とする。
【００１２】
これにより、使用者の操作部への操作により排水路が開放した後、排水路が排水路閉止機構によって自動的に閉止されるため、流路中の湯水が過度に排出されることを防止することができる。
【００１３】
また、前記排水路閉止機構は、前記排水路が開放されてから所定時間経過した後に前記排水路を閉止させることを特徴とする。
【００１４】
これにより、排水路から排出される湯水の総流量の上限値を規定することが可能となり、よって流路中の湯水が過度に排出されることをより一層防止することができる。
【００１５】
また、前記排水路閉止機構は、ケーシングと、前記ケーシングの一端側に設けられ、前記主弁体と連動して前記ケーシング内を摺動する摺動部と、前記ケーシングの他端側の前記摺動部と対向する位置に設けられる蓋部と、前記ケーシング、前記摺動部および前記蓋部によって形成される背圧室と、前記背圧室と前記流路とを連通する連通孔とを備え、前記背圧室は、前記流路から前記連通孔を介して前記背圧室へ流入された湯水の水圧により前記摺動部を摺動させ、前記主弁体を前記排水路を閉止する方向へ移動させることを特徴とする。
【００１６】
これにより、背圧室に流入する湯水の力を利用して、主弁体を自動的に閉止させることが可能となり、排水装置を電気的な構成を要しない比較的簡易な構成とすることができる。
【００１７】
また、前記排水路閉止機構は、前記排水路内の水温が所定温度以上となった場合に前記排水路を閉止させることを特徴とする。
【００１８】
これにより、たとえば、所定温度未満の湯水を排出することができるとともに、所定温度以上となった湯水が排出されてしまうことを抑制することができる。
【００１９】
また、前記排水路閉止機構は、前記排水路内の水温が所定温度以上となった場合に前記主弁体の前記排水路を閉止する方向への速度を増加させる速度増加部を備えることを特徴とする。
【００２０】
これにより、排水路内の水温が所定温度以上となった場合に、排水路を早期に閉止することができ、よって所定温度以上の湯水が排出される量を減少させることができる。
【００２１】
また、前記排水路閉止機構は、ケーシングと、前記ケーシングの一端側に設けられ、前記主弁体と連動して前記ケーシング内を摺動する摺動部と、前記ケーシングの他端側の前記摺動部と対向する位置に設けられる蓋部と、前記ケーシング、前記摺動部および前記蓋部によって形成される背圧室とを備え、前記速度増加部は、前記背圧室と前記流路とを連通する補助連通孔と、前記補助連通孔を閉塞する閉塞部と、一端が前記閉塞部に当接されるとともに、前記閉塞部への付勢力が温度に応じて変化する感温付勢部とを備え、前記感温付勢部は、前記排水路内の水温が前記所定温度以上の場合に前記閉塞部を前記補助連通孔から離間させる方向へ付勢して前記補助連通孔を開放し、前記背圧室へ流入する湯水の量を増加させ、前記背圧室は、増加した湯水の水圧により前記摺動部を摺動させることで、前記主弁体の前記排水路を閉止する方向への速度を増加させることを特徴とする。
【００２２】
これにより、簡易な構成でありながら、排水路内の水温が所定温度以上となった場合に、主弁体の排水路を閉止する方向への速度を増加させることができるため、排水路を早期に閉止することができ、よって所定温度以上の湯水が排出される量を減少させることができる。
【００２３】
また、本発明は、給湯源と前記給湯源から供給される湯を吐出する吐出部とを連通する流路に設けられ、前記流路中の湯水を排出する排水装置であって、一端が前記流路に接続され他端が排水口に接続される排水路と、前記排水路を開閉する主弁体と、使用者の操作によって前記主弁体を前記排水路を開放する方向へ移動させて前記流路中の湯水を排出させる操作部と、前記排水路が開放されてから所定時間経過した後に前記排水路を閉止させる排水路閉止機構とを備え、前記排水路閉止機構は、前記排水路内の水温が所定温度以上となった場合に前記主弁体の前記排水路を閉止する方向への速度を増加させる速度増加部を備えることを特徴とする。
【００２４】
これにより、排水装置を、比較的簡易な構成とすることができるとともに、たとえば、排水装置を給湯システムに組み込んだ場合は、湯が吐出されるまでの待ち時間を短くすることを、電気温水器を別途設置することなく簡易な構成で達成することができる。また、使用者は、必要に応じて操作部を操作するという簡便な動作で、流路中の湯水を容易に排出することができる。
【００２５】
また、排水路から排出される湯水の総流量の上限値を規定することが可能となり、よって流路中の湯水が過度に排出されることをより一層防止することができる。また、排水路内の水温が所定温度以上となった場合に、排水路を早期に閉止することができ、よって所定温度以上の湯水が排出される量を減少させることができる。
【発明の効果】
【００２６】
本発明によれば、湯が吐出されるまでの待ち時間を短くすることを比較的簡易な構成で達成することができる。
【図面の簡単な説明】
【００２７】
【図１】図１は、第１の実施形態に係る排水装置を備えた給湯システムの構成を示す図である。
【図２】図２は、排水装置の側面図である。
【図３】図３は、排水装置の平面図である。
【図４Ａ】図４Ａは、図３のIV−IV線断面図である。
【図４Ｂ】図４Ｂは、排水装置の排水動作を説明するための図である。
【図４Ｃ】図４Ｃは、排水装置の排水動作を説明するための図である。
【図４Ｄ】図４Ｄは、排水装置の排水動作を説明するための図である。
【図５】図５は、第２の実施形態に係る排水装置を備えた給湯システムの構成を示す図である。
【図６】図６は、第３の実施形態に係る排水装置を備えた給湯システムの構成を示す図である。
【図７】図７は、第４の実施形態に係る排水装置を備えた給湯システムの構成を示す図である。
【図８】図８は、第５の実施形態に係る排水装置を備えた給湯システムの構成を示す図である。
【発明を実施するための形態】
【００２８】
以下、添付図面を参照して、本願の開示する給湯システムおよび排水装置の実施形態を詳細に説明する。なお、以下に示す実施形態によりこの発明が限定されるものではない。
【００２９】
（第１の実施形態）
図１は、第１の実施形態に係る排水装置を備えた給湯システムの構成を示す図である。図１に示すように、第１の実施形態に係る給湯システム１は、給湯源１０と、給水源２０と、吐出部３０と、流路４０と、給水配管５０と、シングルバルブ６０と、排水装置７０とを備える。なお、第１の実施形態に係る給湯システム１は、たとえばキッチンへの給湯に適用される。
【００３０】
給湯源１０は、たとえば水道管から供給される水を加熱して湯を生成する。給湯源１０としては、電気式、ガス式、石油式等の各種の給湯器を用いることができる。給水源２０は、水を供給する。給水源２０としては、水道管や貯水タンク等を用いることができる。
【００３１】
吐出部３０は、給湯源１０および給水源２０からシングルバルブ６０を介して供給される湯水を吐出口３１から吐出する。
【００３２】
流路４０は、給湯源１０と吐出部３０とを連通する配管であり、給湯源１０とシングルバルブ６０とを接続する給湯配管４１と、シングルバルブ６０と吐出部３０とを接続する下流側配管４２とを備える。給水配管５０は、給水源２０とシングルバルブ６０とを接続する配管である。
【００３３】
シングルバルブ６０は、流路開閉部の一例であり、給水源２０からの水の供給圧力および給湯源１０からの湯の供給圧力を受けるとともに、給湯配管４１および給水配管５０を開閉する。かかるシングルバルブ６０は、たとえば、図示しないレバーハンドルの上下回動により、吐出部３０から吐出される湯水の流量を調節し、同レバーハンドルの左右回動により、吐出部３０から吐出される湯水の温度を調節する。シングルバルブ６０としては、たとえば、特開２０１５−６１９８６号公報に記載のものを用いることができる。
【００３４】
排水装置７０は、流路４０に設けられ、流路４０中の湯水を排出する。具体的には、排水装置７０は、流路４０において流路開閉部たるシングルバルブ６０よりも上流側に設けられる、換言すると、給湯配管４１に設けられる。
【００３５】
なお、排水装置７０は、機械式の排水装置であり、使用者によって操作されることで、流路４０中の湯水の排水動作を開始するが、その構成については後に詳しく説明する。また、以下では、給湯配管４１のうち、給湯源１０と排水装置７０とを接続する配管を「第１給湯配管４１１」、排水装置７０とシングルバルブ６０とを接続する配管を「第２給湯配管４１２」と記載する場合がある。
【００３６】
排水装置７０には、排水管１１１が接続され、排水装置７０の排水動作によって排出された給湯配管４１中の湯水、正確には、第１給湯配管４１１中の湯水を排出する。排水管１１１は、吐出部３０の吐出口３１とは異なる排水口１１１ａを有し、給湯配管４１中の湯水を吐出口３１以外から排出する。
【００３７】
これにより、給湯システム１において湯が吐出されるまでの待ち時間を短くすることができる。すなわち、たとえば、給湯配管４１内に冷めた湯が残留している場合に、排水装置７０が操作されると、冷めた湯は排水装置７０から排出されるとともに、給湯配管４１には給湯源１０で生成された湯が供給される。そのため、たとえば、排水装置７０の排水動作後にシングルバルブ６０を開弁した場合に、吐出部３０から湯が吐出されるまでの待ち時間を短くすることができる。
【００３８】
ここで、給湯システム１は、排水管１１１の排水口１１１ａから排出される湯水の瞬間流量が、吐出部３０の吐出口３１から吐出される湯水の瞬間流量よりも大きくなるように構成されることが好ましい。このように構成されることで、吐出口３１から排水する場合と比べて、流路４０中の湯水を短時間で排出することができる。
【００３９】
なお、排水管１１１の排水口１１１ａは、下流側配管４２に接続されてもよい。この場合、流路４０中の湯水は、吐出部３０の吐出口３１から排出されることとなる。このように構成することで、排水動作の様子を使用者に視認させることができる。
【００４０】
また、排水装置７０は、流路開閉部たるシングルバルブ６０よりも上流側の給湯配管４１のうち、シングルバルブ６０に比較的近い位置に設けられることが好ましい。具体的には、たとえば、排水装置７０は、第１給湯配管４１１の配管長が、第２給湯配管４１２の配管長よりも長くなるような位置に設けられることが好ましい。後述するように、排水装置７０は、上流側に接続された流路４０（ここでは第１給湯配管４１１）中の湯水の排水を行うことから、上記した位置に設けられることで、給湯配管４１の湯水を比較的多く排出することができる。
【００４１】
次に、排水装置７０の構成について図２以降を参照して説明する。図２は、排水装置７０の側面図であり、図３は、排水装置７０の平面図である。
【００４２】
なお、図１および図２には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。なお、以下においては、排水装置７０の構成について「Ｚ軸方向」や「上方」「下方」などと表現することがあるが、これらはあくまでも説明の便宜上であって、排水装置７０が実際に流路４０に取り付けられたときの方向を限定するものではない。
【００４３】
図２および図３に示すように、排水装置７０は、本体部７１と、操作部１０１とを備える。本体部７１は、円筒状に形成された筐体７２を備える。また、操作部１０１は、円筒状に形成された操作ボタン１０２を備える。なお、図２等に示す筐体７２や操作ボタン１０２の形状は、例示であって限定されるものではなく、たとえば矩形状などその他の形状であってもよい。
【００４４】
排水装置７０にあっては、上記した操作ボタン１０２が、使用者によって筐体７２側（図２で矢印Ａで示す方向）へ押圧操作されることで、排水動作が行われる。かかる排水動作が行われる排水装置７０について、図４Ａ〜図４Ｄを参照してさらに詳しく説明する。
【００４５】
図４Ａは、図３のIV−IV線断面図であり、排水動作を説明するための図である。なお、図４Ａは、排水動作が行われる前の排水装置７０を示している。
【００４６】
また、図４Ｂ〜図４Ｄも同様に、排水動作を説明するための図である。具体的には、図４Ｂは、操作ボタン１０２が押圧操作された状態の排水装置７０を示し、図４Ｃは、操作ボタン１０２の押圧操作が終了し、排水中の排水装置７０を示している。また、図４Ｄは、排水動作が完了する直前の排水装置７０を示している。
【００４７】
図４Ａに示すように、排水装置７０の本体部７１は、上記した筐体７２に加え、突出部７３と、排水部７４と、排水路７５と、主弁体７６と、副弁体７７と、排水路閉止機構８０とを備える。
【００４８】
筐体７２は、中空に形成されるとともに、側面には、流入口７２ａと、流出口７２ｂと、排水口７２ｃとが穿設される。流入口７２ａには、第１給湯配管４１１（図１参照）が接続される。
【００４９】
流出口７２ｂは、筐体７２において流入口７２ａと中空部分を介して対向する位置に穿設される。また、流出口７２ｂには、第２給湯配管４１２（図１参照）が接続される。なお、ここでは、排水動作が行われるときには、シングルバルブ６０が閉弁されている、すなわち、流出口７２ｂから第２給湯配管４１２への湯水の流れがない状態であることを前提に説明を続ける。
【００５０】
排水口７２ｃは、筐体７２において流出口７２ｂの上方の位置に隣接して穿設される。排水口７２ｃには、排水管１１１（図１参照）が接続される。また、筐体７２のＺ軸正方向側の上面には、開口７２ｄが形成される。
【００５１】
突出部７３は、筐体７２の開口７２ｄに嵌合されて固定されるとともに、嵌合された状態のときに筐体７２から部分的に突出するような形状とされる。また、突出部７３の中央部分には、操作部１０１の駆動ピン１０３（後述）を挿通可能な挿通孔７３ａが穿設される。
【００５２】
排水部７４は、筐体７２において突出部７３よりも下方側で、かつ、排水口７２ｃ付近に位置される。また、排水部７４は、筐体７２の排水口７２ｃよりも下方の内壁部分に嵌合されて固定される。また、排水部７４の排水口７２ｃと対向する側面には側面側開口７４ａが形成され、下端には下端側開口７４ｂが形成される。
【００５３】
また、下端側開口７４ｂと側面側開口７４ａとは、連通路７４ｃによって連通される。なお、連通路７４ｃは、後述する排水路７５の一部として機能する。また、排水部７４の上端の中央部分には、駆動ピン１０３を挿通可能な挿通孔７４ｄが穿設される。
【００５４】
排水路７５は、筐体７２の中空部分と排水部７４の連通路７４ｃとによって構成される。詳しくは、後述する図４Ｂの矢印Ｄ２に示すように、排水路７５は、主弁体７６が開弁した状態のとき、流入口７２ａに接続された流路４０（ここでは第１給湯配管４１１）と、排水口７２ｃに接続された排水管１１１とを連通させるような流路である。すなわち、排水路７５は、一端が流入口７２ａを介して流路４０（ここでは第１給湯配管４１１）に接続され他端が排水口７２ｃに接続される。
【００５５】
図４Ａの説明に戻ると、主弁体７６は、内部に中空部７６ａを有する長尺な円筒状に形成される。また、主弁体７６の外周面には、側方へ向けて突出する鍔部７６ｂが形成される。上記のように構成された主弁体７６は、排水部７４の下端側開口７４ｂに挿通されるとともに、Ｚ軸方向に移動自在とされる。このとき、主弁体７６は、上端７６ｃが、排水部７４の連通路７４ｃに露出するように位置される。
【００５６】
ここで、鍔部７６ｂの外径は、下端側開口７４ｂの開口径よりも大きくなるように設定される。これにより、図４Ａに示すように、主弁体７６は、鍔部７６ｂを排水部７４の下端側開口７４ｂに当接させることが可能となり、かかる当接状態にあるとき、排水路７５は閉止されることとなる。すなわち、排水部７４の下端側開口７４ｂは、主弁体７６と当接する弁座として機能する。
【００５７】
なお、主弁体７６は、後述するように、操作部１０１の駆動ピン１０３によって上端７６ｃが押されて下方へ移動すると、鍔部７６ｂと排水部７４の下端側開口７４ｂとの間に間隙が生じ、排水路７５は開放されることとなる（図４Ｂ参照）。
【００５８】
このように、主弁体７６は、排水路７５を開閉する。なお、主弁体７６の鍔部７６ｂには、シール部材が適宜設けられ、排水部７４の下端側開口７４ｂと当接した状態にあるとき、排水路７５を液密に閉止する。
【００５９】
副弁体７７は、長尺な円柱状に形成され、主弁体７６の中空部７６ａに挿通されるとともに、Ｚ軸方向に移動自在とされる。このとき、図４Ａに示すように、副弁体７７は、上端７７ａおよび下端７７ｂがそれぞれ、主弁体７６の中空部７６ａから露出するように位置される。
【００６０】
また、副弁体７７の下端７７ｂには、側方へ向けて突出する鍔部７７ｃが形成される。ここで、鍔部７７ｃの外径は、主弁体７６の中空部７６ａの開口径よりも大きくなるように設定される。
【００６１】
これにより、図４Ａに示すように、副弁体７７は、鍔部７７ｃを主弁体７６の下端７６ｄに当接させることが可能となり、かかる当接状態にあるとき、中空部７６ａは閉止されることとなる。すなわち、主弁体７６の下端７６ｄは、副弁体７７と当接する弁座として機能する。なお、かかる中空部７６ａは、湯水の流路として機能するが、これについては後述する。
【００６２】
このように、副弁体７７は、中空部７６ａを開閉する。なお、副弁体７７の鍔部７７ｃにも、シール部材が適宜設けられ、主弁体７６の下端７６ｄと当接した状態にあるとき、中空部７６ａを液密に閉止する。
【００６３】
ここで、排水路閉止機構８０の説明に入る前に、操作部１０１について説明する。操作部１０１は、上記した操作ボタン１０２に加え、駆動ピン１０３と、ボタン用付勢部１０４とを備える。
【００６４】
操作ボタン１０２は、排水動作を開始する際に、使用者によって下方へ押圧操作される。駆動ピン１０３は、長尺な円柱状に形成される。また、駆動ピン１０３は、上端１０３ａが操作ボタン１０２にＺ軸方向の相対的位置が決まるように係止される。
【００６５】
また、駆動ピン１０３は、下端１０３ｂが突出部７３および排水部７４の挿通孔７３ａ，７４ｄに挿通されつつ、排水部７４の連通路７４ｃに露出するように位置される。このとき、駆動ピン１０３の下端１０３ｂは、連通路７４ｃにおいて、主弁体７６の上端７６ｃおよび副弁体７７の上端７７ａと対向するように位置される。
【００６６】
ボタン用付勢部１０４は、一端が突出部７３に当接する一方、他端が操作ボタン１０２に当接するように配置される。ボタン用付勢部１０４は、操作ボタン１０２を上方へ向けて付勢するが、これについては後述する。なお、ボタン用付勢部１０４としては、コイルばねを用いることができる。
【００６７】
次に、排水路閉止機構８０について説明する。排水路閉止機構８０は、開放された排水路７５を閉止させる。具体的には、排水路閉止機構８０は、ケーシング８１と、摺動部８２と、蓋部８３と、背圧室８４と、連通孔８５と、挿通ピン８６とを備える。
【００６８】
ケーシング８１は、円筒状に形成され、一端側（具体的には上端側）および他端側（下端側）がそれぞれ開口される。摺動部８２は、ケーシング８１の一端側の開口に、Ｚ軸方向に摺動自在に設けられる。また、摺動部８２は、主弁体７６の下端７６ｄに接続される。したがって、摺動部８２は、主弁体７６と連動してケーシング８１内を摺動する。
【００６９】
蓋部８３は、ケーシング８１の他端側の開口を塞ぐように設けられる。すなわち、蓋部８３は、ケーシング８１の他端側の摺動部８２と対向する位置に設けられる。
【００７０】
背圧室８４は、上記したケーシング８１、摺動部８２および蓋部８３によって形成される。詳しくは、背圧室８４は、ケーシング８１、摺動部８２および蓋部８３によって区画された空間である。
【００７１】
連通孔８５は、蓋部８３に形成された小孔であり、背圧室８４と流路４０（ここでは第１給湯配管４１１）とを連通する。
【００７２】
挿通ピン８６は、一端が副弁体７７の下端７７ｂに接触する一方、他端が連通孔８５に挿通される。したがって、挿通ピン８６は、副弁体７７のＺ軸方向の上下移動に伴って上下し、連通孔８５内を移動する。
【００７３】
連通孔８５は、後述するように、排水時に背圧室８４へ流入する湯水が通過する。挿通ピン８６は、このような連通孔８５に挿通されることから、連通孔８５の湯水が流れる流路面積を小さくでき、たとえば背圧室８４への流入量を適切な値まで減少させることができる。
【００７４】
また、連通孔８５の孔径や挿通ピン８６の太さを変えるだけで背圧室８４への流入量の調整を行うことも可能となる。さらに、挿通ピン８６は、連通孔８５内を上下に移動することから、たとえば連通孔８５に侵入したゴミなどの異物を除去でき、連通孔８５の詰まりの発生を抑制することができる。
【００７５】
上記のように構成された排水路閉止機構８０は、開放された排水路７５を閉止させる、詳しくは、排水路７５が開放された後、主弁体７６を排水路７５を閉止する方向へ徐々に移動させて排水路７５を閉止させるが、これについては後述する。
【００７６】
排水路閉止機構８０は、さらに、排水路７５内の水温が所定温度以上の場合に、主弁体７６の排水路７５を閉止する方向への速度を増加させる速度増加部９０を備える。なお、所定温度は、使用者などによって任意の値に設定することができるが、たとえば、給湯源１０としての給湯器において設定された給湯温度であってもよい。
【００７７】
速度増加部９０は、補助連通孔９１と、閉塞部９２と、下部ケーシング９３と、付勢部９４と、感温付勢部９５とを備える。
【００７８】
補助連通孔９１は、蓋部８３の連通孔８５に隣接するように形成された小孔であり、背圧室８４と流路４０（ここでは第１給湯配管４１１）とを連通する。なお、補助連通孔９１の流路面積は、連通孔８５の流路面積よりも大きくなるように設定されることが好ましい。また、図４Ａでは、補助連通孔９１は、２個形成されるようにしたが、これはあくまでも例示であって、１個または３個以上形成されてもよい。
【００７９】
閉塞部９２は、補助連通孔９１を閉塞する。具体的には、閉塞部９２は、内部に中空部９２ａを有する円筒状に形成される。図４Ａに示すように、閉塞部９２は、上端９２ｂが補助連通孔９１に当接することで、補助連通孔９１を閉塞する。
【００８０】
また、閉塞部９２の上端９２ｂの中央付近には上端側開口９２ｃが形成される一方、下端９２ｄの中央付近には下端側開口９２ｅが形成される。上端側開口９２ｃには、上記した連通孔８５が位置される。また、下端側開口９２ｅは、排水路７５と中空部９２ａとを連通する。
【００８１】
なお、下端側開口９２ｅの開口面積は、上端側開口９２ｃの開口面積よりも小さくなるように設定される。これにより、閉塞部９２の下端９２ｄにおいて、感温付勢部９５が当接する部位を下端側開口９２ｅの外周側に設けることができる。
【００８２】
また、閉塞部９２の外周面には、側方へ向けて突出する鍔部９２ｆが形成される。そして、閉塞部９２は、蓋部８３にＺ軸方向に移動自在となるように取り付けられる。
【００８３】
下部ケーシング９３は、円筒状に形成される。下部ケーシング９３は、上記のように構成された閉塞部９２および蓋部８３を下方から覆うようにして、蓋部８３に取り付けられて固定される。下部ケーシング９３の下端９３ａには、開口９３ｂが形成され、かかる開口９３ｂには閉塞部９２の下端９２ｄが露出するように位置される。
【００８４】
付勢部９４は、閉塞部９２の鍔部９２ｆと下部ケーシング９３の下端９３ａとの間の空間に配置される。そして、付勢部９４は、一端が閉塞部９２の鍔部９２ｆに当接され、他端が下部ケーシング９３の下端９３ａに当接される。これにより、付勢部９４は、閉塞部９２を補助連通孔９１を閉止する方向へ付勢する。なお、付勢部９４としては、コイルばねを用いることができる。
【００８５】
感温付勢部９５は、閉塞部９２の中空部９２ａに配置される。そして、感温付勢部９５は、一端（具体的には下端）が閉塞部９２に当接される一方、他端（具体的には上端）が蓋部８３に当接される。
【００８６】
これにより、感温付勢部９５は、閉塞部９２を補助連通孔９１から離間させる方向へ付勢するが、かかる閉塞部９２への付勢力は温度に応じて変化する。なお、感温付勢部９５としては、たとえば温度に応じて収縮または伸長する形状記憶合金（ＳＭＡ（Shape  Memory  Alloy））により製作された、感温コイルばねを用いることができる。
【００８７】
詳しくは、感温付勢部９５は、排水路７５の湯水の温度、正確には、閉塞部９２の下端側開口９２ｅを介して中空部９２ａへ流入した排水路７５の湯水の温度が、所定温度未満の場合、付勢力が付勢部９４の付勢力に比べて小さくなるように設定される。したがって、閉塞部９２は、付勢部９４の付勢力によって補助連通孔９１を閉止する方向へ付勢されることから、補助連通孔９１は閉止された状態となる。
【００８８】
他方、感温付勢部９５は、中空部９２ａへ流入した排水路７５の湯水の温度が所定温度以上になった場合に伸長し、付勢力が付勢部９４の付勢力に比べて大きくなるように設定される。したがって、閉塞部９２は、感温付勢部９５の付勢力によって補助連通孔９１から離間する方向へ付勢されることから、補助連通孔９１は開放されることとなる。
【００８９】
速度増加部９０は、上記のように補助連通孔９１を開放することによって、主弁体７６の排水路７５を閉止する方向への速度を増加させるが、これについては後述する。
【００９０】
次に、排水装置７０の排水動作について詳説する。図４Ａは、上記したように、排水動作が行われる前の排水装置７０の状態を示している。ここで、かかる状態の排水装置７０において、筐体７２内の主弁体７６よりも下方側、言い換えれば上流側に位置する排水路７５や背圧室８４は湯水で満たされているものとする。
【００９１】
使用者は、たとえば流路４０（ここでは第１給湯配管４１１）内に残留する冷めた湯を排出したい場合、排水装置７０を操作する。具体的には、図４Ｂに示すように、使用者によって操作ボタン１０２が、矢印Ｂで示す下方へ押圧操作される。かかる押圧操作に伴い、駆動ピン１０３は、下方へ移動し、下端１０３ｂが副弁体７７の上端７７ａと最初に当接して副弁体７７を押し下げる。
【００９２】
押し下げられた副弁体７７は、鍔部７７ｃが主弁体７６の下端７６ｄから離間し、中空部７６ａが開放される。これにより、矢印Ｄ１で示すように、排水路７５や背圧室８４の湯水が中空部７６ａを通って排水口７２ｃから排出される。
【００９３】
このように、最初に副弁体７７を押し下げて中空部７６ａが開放されることで、排水路７５や背圧室８４に満たされた湯水を逃がすための経路を確保するようにした。これにより、使用者がさらに操作ボタン１０２を操作するとき、湯水を逃がす経路のない構成と比べ、弱い押圧力で操作することができる。
【００９４】
続いて、操作ボタン１０２がさらに押圧されると、駆動ピン１０３はさらに下方へ移動し、下端１０３ｂが主弁体７６の上端７６ｃに当接して主弁体７６を押し下げる。押し下げられた主弁体７６は、鍔部７６ｂが排水部７４の下端側開口７４ｂから離間し、排水路７５が開放される。これにより、矢印Ｄ２で示すように、第１給湯配管４１１から流入口７２ａを介して排水路７５へ流入した湯水が、排水部７４の連通路７４ｃを通って排水口７２ｃから排出される。
【００９５】
すなわち、操作部１０１は、使用者の操作によって主弁体７６を排水路７５を開放する方向へ移動させて第１給湯配管４１１中の湯水を排出させる。
【００９６】
このような構成の排水装置７０によれば、排水装置７０を比較的簡易な構成とすることができる。また、かかる排水装置７０は、流路４０において流路開閉部たるシングルバルブ６０よりも上流側に設けられることから、たとえば上流側の第１給湯配管４１１内に残留する冷めた湯水を容易に排出することができる。したがって、給湯システム１において、湯が吐出されるまでの待ち時間を短くすることを、電気温水器を別途設置することなく簡易な構成で達成することができる。
【００９７】
また、使用者は、必要に応じて操作部１０１を操作するという簡便な動作で、第１給湯配管４１１中の湯水を容易に排出することができる。
【００９８】
なお、図４Ｂに示すように、主弁体７６が下方へ移動すると、それに伴って摺動部８２も下方へ摺動し、背圧室８４の容積は小さくなる。また、操作ボタン１０２が下方へ押圧操作されると、ボタン用付勢部１０４は圧縮状態となる。
【００９９】
その後、操作ボタン１０２の押圧操作が終了すると、図４Ｃに示すように、圧縮されていたボタン用付勢部１０４は、伸長して操作ボタン１０２および駆動ピン１０３を矢印Ｃで示す上方へ付勢する。これにより、操作ボタン１０２および駆動ピン１０３は、上方へ移動し、押圧操作前の状態、すなわち初期位置へ戻される。
【０１００】
また、駆動ピン１０３が上方へ移動すると、主弁体７６および摺動部８２には、駆動ピン１０３からの押し下げる力が作用しなくなる。これにより、容積が小さくなっていた背圧室８４には、湯水が流入する。具体的に背圧室８４には、矢印Ｄ３で示すように、第１給湯配管４１１から排水路７５、閉塞部９２の中空部９２ａ、連通孔８５と挿通ピン８６との間隙を通過した湯水が流入する。
【０１０１】
そして、排水路閉止機構８０の背圧室８４は、背圧室８４へ流入された湯水の水圧により摺動部８２を上方へ摺動させるとともに、主弁体７６を排水路７５を閉止する方向へ徐々に移動させる。その後も背圧室８４への湯水の流入が継続されると、主弁体７６の鍔部７６ｂが排水部７４の下端側開口７４ｂに当接し、排水路７５が閉止される。なお、主弁体７６の鍔部７６ｂが排水部７４の下端側開口７４ｂに当接すると、背圧室８４には湯水が流入しなくなる。
【０１０２】
このように、排水路閉止機構８０は、開放された排水路７５を閉止させる、詳しくは、排水路７５が開放されてから所定時間経過した後に排水路７５を閉止させる。なお、所定時間は、たとえば湯水が連通孔８５等を介して背圧室８４へ流入する時間に相当する。
【０１０３】
すなわち、使用者の操作部１０１への操作により排水路７５が開放された後、排水路７５が排水路閉止機構８０によって自動的に閉止されるため、第１給湯配管４１１中の湯水が排出され続け、過度に排出されることを防止することができる。
【０１０４】
また、所定時間経過後に排水路７５が閉止されることから、排水路７５から排出される湯水の総流量の上限値を規定することが可能となり、よって流路中の湯水が過度に排出されることをより一層防止することができる。
【０１０５】
また、たとえば、連通孔８５の孔径を調整することで、背圧室８４へ流入される湯水の量が変わる。これにより、排水路７５が閉止されるまでの時間（所定時間）を適切な値に調整することが可能になる。
【０１０６】
また、排水路閉止機構８０を上記のように構成したことから、背圧室８４に流入する湯水の力を利用して、主弁体７６を自動的に閉止させることが可能となり、排水装置７０を電気的な構成を要しない比較的簡易な構成とすることができる。
【０１０７】
また、排水路７５を流れる湯水の量は、第１給湯配管４１１からの湯の供給圧力の増減によって変化するが、そのような場合であっても、上記のように構成することで、所定時間を適切な値に自動的に調整することができる。
【０１０８】
すなわち、たとえば、湯の供給圧力が高い場合、排水路７５を流れる湯水の量も増加するが、その分、連通孔８５から背圧室８４へ流入する湯水の流速が早くなる、言い換えると、瞬間流量が大きくなるため、所定時間は短くなる。他方、湯の供給圧力が低い場合、排水路７５を流れる湯水の量も減少するが、その分、連通孔８５から背圧室８４へ流入する湯水の流速が遅くなる、言い換えると、瞬間流量が小さくなるため、所定時間は長くなる。このように、湯の供給圧力の増減によって排水路７５を流れる湯水の量が変化する場合であっても、それに応じて連通孔８５を通過する湯水の量も変わるため、結果として所定時間を湯の供給圧力に即した適切な値に自動的に調整することができる。
【０１０９】
また、排水装置７０による湯水の排出を続けていると、所定時間が経過する前に、たとえば、排水路７５内の水温が所定温度以上になる場合がある。ここで、たとえば、所定温度が給湯温度であった場合、使用者の意図した温度に到達した湯水が排水装置７０によって排出されるおそれがある。
【０１１０】
そこで、第１の実施形態に係る排水装置７０にあっては、速度増加部９０を備え、所定温度以上になった場合に、主弁体７６の排水路７５を閉止する方向への速度を増加させるようにしている。
【０１１１】
具体的には、図４Ｄに示すように、速度増加部９０の感温付勢部９５は、中空部９２ａへ流入した排水路７５の湯水の温度が所定温度以上になった場合に伸長する。これにより、閉塞部９２は、感温付勢部９５の付勢力によって補助連通孔９１から離間する方向へ付勢され、補助連通孔９１が開放される。
【０１１２】
したがって、背圧室８４には、矢印Ｄ３で示す連通孔８５からの湯水の流入に加え、矢印Ｄ４で示すように、補助連通孔９１からも湯水が流入されることとなる。このように、速度増加部９０の感温付勢部９５は、背圧室８４へ流入される湯水の量を、補助連通孔９１を通過する湯水の量だけ増加させる。したがって、背圧室８４は、増加した湯水の水圧により摺動部８２を上方へ摺動させることで、主弁体７６の排水路７５を閉止する方向への速度を増加させる。
【０１１３】
これにより、簡易な構成でありながら、排水路７５内の水温が所定温度以上となった場合に、主弁体７６の排水路７５を閉止する方向への速度を増加させることができるため、排水路７５を早期に閉止することができ、よって所定温度以上の湯水が排出される量を減少させることができる。
【０１１４】
なお、上記したように、補助連通孔９１の流路面積は、連通孔８５の流路面積よりも大きくなるように設定されることが好ましい。これにより、水温が所定温度以上の際に、背圧室８４へ流入される湯水の量を、補助連通孔９１の流路面積を大きくした分だけ、増加させることができ、よって排水路７５をより一層早期に閉止することができる。
【０１１５】
なお、主弁体７６がさらに上方へ移動し、鍔部７６ｂが排水部７４の下端側開口７４ｂに当接すると、排水路７５は閉止され、一連の排水動作が完了する、すなわち、排水装置７０は、図４Ａに示す状態となる。
【０１１６】
上述してきたように、第１の実施形態に係る給湯システム１は、吐出部３０と、流路４０と、シングルバルブ６０（「流路開閉部」の一例に相当）とを備える。吐出部３０は、給湯源１０から供給される湯を吐出する。流路４０は、給湯源１０と吐出部３０とを連通する。シングルバルブ６０は、湯の供給圧力を受けるとともに流路４０を開閉する。排水装置７０は、流路４０においてシングルバルブ６０よりも上流側に設けられるとともに流路４０中の湯水を排出する。
【０１１７】
さらに、第１の実施形態に係る給湯システム１は、排水装置７０を備える。排水装置７０は、排水路７５と、主弁体７６と、操作部１０１とを備える。排水路７５は、一端が流路４０に接続され他端が排水口７２ｃに接続される。主弁体７６は、排水路７５を開閉する。操作部１０１は、使用者の操作によって主弁体７６を排水路７５を開放する方向へ移動させて流路４０中の湯水を排出させる。
【０１１８】
したがって、第１の実施形態に係る給湯システム１によれば、湯が吐出されるまでの待ち時間を短くすることを、電気温水器を別途設置することなく簡易な構成で達成することができる。
【０１１９】
さらに、従来技術のように電気温水器を設置するためのスペースを確保する必要がなくなるため、設置容易性を向上させることができる。また、電気温水器によって湯の供給能力が制限されることがないため、大流量の湯を吐出部３０から吐出することが可能となる。
【０１２０】
なお、上記では、排水装置７０が給湯配管４１に設けられるようにしたが、これに限定されるものではなく、たとえば下流側配管４２に設けられるようにしてもよい（図１のＰ１参照）。また、排水装置７０が下流側配管４２に設けられる場合、排水管１１１の排水口１１１ａを下流側配管４２に接続して、吐出部３０の吐出口３１から排出するようにしてもよい。
【０１２１】
（第２の実施形態）
次に、第２の実施形態に係る排水装置を備えた給湯システムの構成について図５を参照して説明する。図５は、第２の実施形態に係る排水装置を備えた給湯システムの構成を示す図である。なお、以下の説明では、既に説明した部分と同様の部分については、既に説明した部分と同一の符号を付し、重複する説明を省略する。
【０１２２】
図５に示すように、第２の実施形態に係る給湯システム１Ａは、給湯源１０と、給水源２０と、吐出部３０と、流路４０Ａと、給水配管５０と、シングルバルブ６０と、給湯用電磁弁６１と、給水用電磁弁６２と、排水装置７０（図示は省略する）とを備える。
【０１２３】
流路４０Ａは、給湯源１０と給湯用電磁弁６１とを接続する給湯配管４１Ａと、給湯用電磁弁６１と吐出部３０とを接続する下流側配管４２Ａとを備える。また、下流側配管４２Ａは、給湯用電磁弁６１とシングルバルブ６０とを接続する第１下流側配管４２Ａ１と、シングルバルブ６０と吐出部３０とを接続する第２下流側配管４２Ａ２とを備える。なお、第２の実施形態に係る給湯システム１Ａは、たとえばキッチンへの給湯に適用される。
【０１２４】
給湯用電磁弁６１は、給湯配管４１Ａに設けられた電磁弁である。給湯用電磁弁６１は、第２の実施形態における流路開閉部の一例に相当し、給湯源１０からの湯の供給圧力を受けるとともに、給湯配管４１Ａを開閉する。給水用電磁弁６２は、給水配管５０に設けられた電磁弁であり、給水配管５０を開閉する。
【０１２５】
給湯用電磁弁６１および給水用電磁弁６２は、たとえば、人の足によって操作されるフットスイッチと連動しており、かかるフットスイッチのオン／オフに応じて開閉される。
【０１２６】
かかる給湯システム１Ａにおいて、排水装置７０は、たとえば、給湯配管４１Ａに設けられる（図５のＰ１参照）。このような配置とすることで、給湯用電磁弁６１が閉弁していても排水動作を実行することが可能となる。
【０１２７】
また、排水装置７０は、第１下流側配管４２Ａ１に設けられてもよい（図５のＰ２参照）。なお、Ｐ１，Ｐ２において、湯水の排出先は、排水管１１１の排水口１１１ａであってもよいし、排水口１１１ａを第２下流側配管４２Ａ２に接続して、吐出部３０の吐出口３１から排出するようにしてもよい。
【０１２８】
なお、上記では、排水装置７０が給湯配管４１Ａまたは第１下流側配管４２Ａ１に設けられるようにしたが、これに限定されるものではなく、たとえば、第２下流側配管４２Ａ２に設けられてもよい（図５のＰ３参照）。また、排水装置７０が第２下流側配管４２Ａ２に設けられる場合、排水管１１１の排水口１１１ａを第２下流側配管４２Ａ２に接続して、吐出部３０の吐出口３１から排出するようにしてもよい。
【０１２９】
（第３の実施形態）
次に、第３の実施形態に係る排水装置を備えた給湯システムの構成について図６を参照して説明する。図６は、第３の実施形態に係る排水装置を備えた給湯システムの構成を示す図である。
【０１３０】
図６に示すように、第３の実施形態に係る給湯システム１Ｂは、給湯源１０と、給水源２０と、吐出部３０と、流路４０Ｂと、給水配管５０と、混合弁６５と、流量調整弁６０Ｂと、排水装置７０（図示は省略する）とを備える。なお、第３の実施形態に係る給湯システム１Ｂは、たとえば浴室への給湯に適用される。
【０１３１】
流路４０Ｂは、給湯源１０と流量調整弁６０Ｂとを接続する給湯配管４１Ｂと、流量調整弁６０Ｂと吐出部３０とを接続する下流側配管４２Ｂとを備える。また、給湯配管４１Ｂは、給湯源１０と混合弁６５とを接続する第１給湯配管４１Ｂ１と、混合弁６５と流量調整弁６０Ｂとを接続する第２給湯配管４１Ｂ２とを備える。給水配管５０は、給水源２０と混合弁６５とを接続する。
【０１３２】
混合弁６５は、第１給湯配管４１Ｂ１と給水配管５０とに接続され、給湯源１０から第１給湯配管４１Ｂ１を介して供給される湯と、給水源２０から給水配管５０を介して供給される水との混合比を使用者の操作に応じて調節し、調節後の湯水を第２給湯配管４１Ｂ２へ流す。
【０１３３】
流量調整弁６０Ｂは、流路開閉部の一例であり、混合弁６５からの湯水の供給圧力を受けるとともに、第２給湯配管４１Ｂ２を開閉する。なお、流量調整弁６０Ｂは、たとえばシリンダバルブである。
【０１３４】
かかる給湯システム１Ｂにおいて、排水装置７０は、たとえば第１給湯配管４１Ｂ１に設けられる（図６のＰ１参照）。また、排水装置７０は、第２給湯配管４１Ｂ２に設けられてもよい（図６のＰ２参照）。
【０１３５】
このように、排水装置７０を流量調整弁６０Ｂよりも上流側に設けることで、流量調整弁６０Ｂによって流路４０Ｂが閉止されている場合であっても、第１給湯配管４１Ｂ１中の湯水を排出することができる。また、図６のＰ１に示すように、排水装置７０を混合弁６５よりも上流側に設けた場合には、給水配管５０中の水が排出されることを防止することができるため、無駄な排水を節約することができる。
【０１３６】
なお、湯水の排出先は、排水管１１１の排水口１１１ａであってもよいし、排水口１１１ａを下流側配管４２Ｂに接続して、吐出部３０の吐出口３１から排出するようにしてもよい。
【０１３７】
また、排水装置７０は、下流側配管４２Ｂに設けられてもよい（図６のＰ３参照）。この場合、排水管１１１の排水口１１１ａを下流側配管４２Ｂに接続して、吐出部３０の吐出口３１から排出するようにしてもよい。
【０１３８】
（第４の実施形態）
次に、第４の実施形態に係る給湯システムの構成について図７を参照して説明する。図７は、第４の実施形態に係る給湯システムの構成を示す図である。
【０１３９】
図７に示すように、第４の実施形態に係る給湯システム１Ｃは、給湯源１０と、給水源２０と、吐出部３０と、流路４０Ｃと、給水配管５０と、給湯用電動弁６１Ｃと、給水用電動弁６２Ｃと、排水装置７０（図示は省略する）とを備える。なお、第４の実施形態に係る給湯システム１Ｃは、たとえばキッチンへの給湯に適用される。
【０１４０】
流路４０Ｃは、給湯源１０と給湯用電動弁６１Ｃとを接続する給湯配管４１Ｃと、給湯用電動弁６１Ｃと吐出部３０とを接続する下流側配管４２Ｃとを備える。給水配管５０は、下流側配管４２Ｃに接続される。
【０１４１】
給湯用電動弁６１Ｃは、流路開閉部の一例であり、給湯源１０からの湯の供給圧力を受けるとともに、流路４０Ｃを開閉する。給湯用電動弁６１Ｃおよび給水用電動弁６２Ｃは、モータ等により弁を開閉させる電動弁であり、流路４０Ｃの開度を調節することが可能である。
【０１４２】
かかる第４の実施形態に係る給湯システム１Ｃは、給湯用電動弁６１Ｃおよび給水用電動弁６２Ｃを制御することにより、吐出部３０から吐出される湯水の流量および温度を調節することができる。
【０１４３】
給湯システム１Ｃにおいて、排水装置７０は、たとえば給湯配管４１Ｃに設けられる（図７のＰ１参照）。このように、排水装置７０を給湯用電動弁６１Ｃよりも上流側に設けることで、給湯用電動弁６１Ｃによって流路４０Ｃが閉止されている場合であっても、給湯配管４１Ｃ中の湯水を排出することができる。なお、湯水の排出先は、排水管１１１の排水口１１１ａであってもよいし、排水口１１１ａを下流側配管４２Ｃに接続して、吐出部３０の吐出口３１から排出するようにしてもよい。
【０１４４】
また、排水装置７０は、下流側配管４２Ｃに設けられてもよい（図７のＰ２参照）。この場合、排水管１１１の排水口１１１ａを下流側配管４２Ｃに接続して、吐出部３０の吐出口３１から排出するようにしてもよい。
【０１４５】
（第５の実施形態）
次に、第５の実施形態に係る給湯システムの構成について図８を参照して説明する。図８は、第５の実施形態に係る給湯システムの構成を示す図である。
【０１４６】
図８に示すように、第５の実施形態に係る給湯システム１Ｄは、給湯源１０と、給水源２０と、吐出部３０と、流路４０Ｄと、給水配管５０と、流路開閉部６７と、排水装置７０（図示は省略する）とを備える。また、流路開閉部６７は、混合弁６８と、流量調整弁６９とを備える。なお、第５の実施形態に係る給湯システム１Ｄは、たとえば洗面化粧台への給湯に適用される。
【０１４７】
流路４０Ｄは、給湯源１０と流路開閉部６７とを接続する給湯配管４１Ｄと、流路開閉部６７と吐出部３０とを接続する下流側配管４２Ｄとを備える。また、下流側配管４２Ｄは、混合弁６８と吐出部３０とを接続する第１下流側配管４２Ｄ１および第２下流側配管４２Ｄ２を備える。第２下流側配管４２Ｄ２には、流路開閉部６７の流量調整弁６９が設けられる。給水配管５０は、給水源２０と流路開閉部６７の混合弁６８とを接続する。
【０１４８】
流路開閉部６７の混合弁６８は、給湯配管４１Ｄと給水配管５０とに接続され、第１下流側配管４２Ｄ１および第２下流側配管４２Ｄ２に供給される湯水の温度を調節するとともに、第１下流側配管４２Ｄ１に供給される湯水の流量を調節する。すなわち、第１下流側配管４２Ｄ１を経由して吐出部３０から吐出される湯水は、混合弁６８によって流量および温度が調節されるのに対し、第２下流側配管４２Ｄ２を経由して吐出部３０から吐出される湯水は、混合弁６８によって温度のみが調節される。
【０１４９】
混合弁６８は、たとえば、図示しないレバーハンドルの上下回動により、第１下流側配管４２Ｄ１を介して吐出部３０から吐出される湯水の流量を調節し、同レバーハンドルの左右回動により、第１下流側配管４２Ｄ１または第２下流側配管４２Ｄ２を介して吐出部３０から吐出される湯水の温度を調節することができる。
【０１５０】
流量調整弁６９は、ソレノイド等により弁を開閉させる電磁弁であり、たとえば吐出部３０に設けられた図示しないセンサーが使用者の手などを検知した場合に一定時間開弁する。
【０１５１】
かかる給湯システム１Ｄにおいて、排水装置７０は、たとえば給湯配管４１Ｄに接続される（図８のＰ１参照）。このように、排水装置７０を流路開閉部６７よりも上流側に設けることで、流路開閉部６７によって流路４０Ｄが閉止されている場合であっても、給湯配管４１Ｄ中の湯水を排出することができる。なお、湯水の排出先は、排水管１１１の排水口１１１ａであってもよいし、排水口１１１ａを第２下流側配管４２Ｄ２に接続して、吐出部３０の吐出口３１から排出するようにしてもよい。
【０１５２】
また、排水装置７０は、第１下流側配管４２Ｄ１に設けられてもよい（図８のＰ２参照）。この場合、排水管１１１の排水口１１１ａを第１下流側配管４２Ｄ１に接続して、吐出部３０の吐出口３１から排出するようにしてもよい。
【０１５３】
なお、上記した実施形態において、排水装置７０は、排水路閉止機構８０および速度増加部９０を備えるようにしたが、いずれか一方を備えるようにしてもよい。すなわち、たとえば、排水装置７０が、排水路７５内の水温が所定温度以上となった場合に、排水路７５を閉止させる構成を備えるようにしてもよい。かかる場合、排水装置７０は、たとえば、所定温度未満の湯水を排出することができるとともに、所定温度以上となった湯水が排出されてしまうことを抑制することができる。
【０１５４】
さらには、排水装置７０は、排水路閉止機構８０および速度増加部９０の両方を除去するように構成してもよい。かかる場合、排水装置７０は、使用者の操作によって主弁体７６を閉止する方向へ移動させるように構成すればよい。
【０１５５】
また、排水路閉止機構８０は、挿通ピン８６を備えるようにしたが、これに限られず、挿通ピン８６を除去するようにしてもよい。また、上記した実施形態においては、付勢部９４、感温付勢部９５およびボタン用付勢部１０４をコイルばねとしたが、これに限定されるものではなく、たとえば薄板ばねなどその他の種類の部材であってもよい。
【０１５６】
また、上記では、排水装置７０を機械式の排水装置としたが、これに限られず、電気式の排水装置であってもよい。かかる場合、たとえば、排水装置は、使用者による操作部１０１の操作を検出する検出部と、主弁体７６を駆動する駆動部とを備え、検出部で操作部１０１の操作が検出された場合に、駆動部が主弁体７６を排水路７５を開放する方向へ移動させて流路４０中の湯水を排出させるように構成してもよい。
【０１５７】
なお、排水装置７０からの排水は、そのまま捨ててしまうだけでなく、様々な用途で利用してもよい。たとえば、浴室や洗面化粧台のヘアキャッチャー内の髪の毛などをまとめるために流したり、電気分解や薬品添加によって改質してボウルやシンク、浴室内の自動清掃に用いたりするなど、清掃用途に用いることなどができる。
【０１５８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５９】
１  給湯システム
１０  給湯源
２０  給水源
３０  吐出部
４０  流路
４１  給湯配管
４２  下流側配管
５０  給水配管
６０  シングルバルブ（流路開閉部）
７０  排水装置
７５  排水路
７６  主弁体
８０  排水路閉止機構
８１  ケーシング
８２  摺動部
８３  蓋部
８４  背圧室
８５  連通孔
８６  挿通ピン
９０  速度増加部
９１  補助連通孔
９２  閉塞部
９５  感温付勢部
１０１  操作部
【図１】
0006627339.tif 000002
【図２】
0006627339.tif 000003
【図３】
0006627339.tif 000004
【図４Ａ】
0006627339.tif 000005
【図４Ｂ】
0006627339.tif 000006
【図４Ｃ】
0006627339.tif 000007
【図４Ｄ】
0006627339.tif 000008
【図５】
0006627339.tif 000009
【図６】
0006627339.tif 000010
【図７】
0006627339.tif 000011
【図８】
0006627339.tif 000012